【手続補正書】
【提出日】平成18年3月15日(2006.3.15)
【手続補正１】
【補正対象書類名】明細書
【補正対象項目名】００１４
【補正方法】変更
【補正の内容】
【００１４】
複素単環または複素多環式基として具体的には、チエニル、フリル、ピラニル、ピロリル、イミダゾリル、ピラゾリル、オキサゾリル、イソオキサゾリル、トリアゾリル、チアゾリル、イソチアゾリル、ピリジル、ピリダジル、ピラジニル、ベンゾイミダゾリル、ベンゾピラゾリル、ベンゾチアゾリル、キノリル、アントラニリル、インドリル、フェナントロリニル基等が挙げられる。
【手続補正２】
【補正対象書類名】明細書
【補正対象項目名】００１６
【補正方法】変更
【補正の内容】
【００１６】
脂環式炭化水素基はそれぞれ芳香族炭化水素基、複素環式基で置換されていてもよいシクロアルキル基を表し、具体的にはシクロプロピル、シクロブチル、シクロペンチル、シクロヘキシル基等の３〜８個の炭素数で構成されるシクロアルキル基が例示される。
アルコキシ基として具体的には、メトキシ、エトキシ、プロポキシ、ブトキシ基等の炭素数１〜２０のアルコキシ基に加え、フェノキシ基等の芳香族を含むものあってもよい。
アミノ基として具体的には、アミノ、メチルアミノ、ジメチルアミノ、エチルアミノ、ジエチルアミノ基等が例示される。
上記の芳香族炭化水素基、複素環式基、脂肪族炭化水素基または脂環式炭化水素基に結合する置換基として具体的にはフッ素、塩素、臭素、ヨウ素等のハロゲン原子、トリフルオロメチル基等のハロゲン原子含有炭化水素基、ヒドロキシル、アルコキシ、アシル、アルコキシカルボニル、カルボキシル基等の酸素原子含有置換基、アミノ、アルキルアミノ、ニトロ、シアノ、アジド基等の窒素原子含有置換基、トリメチルシリル、ヒドロシリル基等のケイ素含有置換基、メルカプト、アルキルチオ基等の硫黄原子含有置換基、ホスホリル、トリフェニルホスフィニル基等のリン原子含有置換基等が例示される。
また、遷移金属元素を含有する置換基であってもよく、具体的にはフェロセニル基等の鉄含有置換基が例示される。さらに、Ｒ１とＲ２、Ｒ１とＲ３、またはＲ２とＲ３は互いに結合して環を形成してもよい。
【手続補正３】
【補正対象書類名】明細書
【補正対象項目名】００２９
【補正方法】変更
【補正の内容】
【００２９】
また、触媒として使用される周期表第ＶＩＩＩ族金属化合物に光学活性含窒素化合物が配位した不斉金属錯体としては、アミド錯体、およびヒドリド錯体があげられる。ルテニウムアミド錯体の具体的な例としては、[（Ｓ，Ｓ）−Ｎ−（ｐ−トルエンスルホニル）−１，２−ジフェニルエチレンジアミン]ベンゼンルテニウム、 [（Ｒ，Ｒ）−Ｎ−（ｐ−トルエンスルホニル）−１，２−ジフェニルエチレンジアミン]ベンゼンルテニウム、[（Ｓ，Ｓ）−Ｎ−（ｐ−トルエンスルホニル）−１，２−ジフェニルエチレンジアミン]（メチルベンゼン）ルテニウム、 [（Ｒ，Ｒ）−Ｎ−（ｐ−トルエンスルホニル）−１，２−ジフェニルエチレンジアミン]（メチルベンゼン）ルテニウム、 [（Ｓ，Ｓ）−Ｎ−（ｐ−トルエンスルホニル）−１，２−ジフェニルエチレンジアミン](１，２−ジメチルベンゼン)ルテニウム、 [（Ｒ，Ｒ）−Ｎ−（ｐ−トルエンスルホニル）−１，２−ジフェニルエチレンジアミン]（１，２−ジメチルベンゼン）ルテニウム、[（Ｓ，Ｓ）−Ｎ−（ｐ−トルエンスルホニル）−１，２−ジフェニルエチレンジアミン](１，３−ジメチルベンゼン)ルテニウム、 [（Ｒ，Ｒ）−Ｎ−（ｐ−トルエンスルホニル）−１，２−ジフェニルエチレンジアミン]（ １，３−ジメチルベンゼン)ルテニウム、[（Ｓ，Ｓ）−Ｎ−（ｐ−トルエンスルホニル）−１，２−ジフェニルエチレンジアミン](１，４−ジメチルベンゼン)ルテニウム、 [（Ｒ，Ｒ）−Ｎ−（ｐ−トルエンスルホニル）−１，２−ジフェニルエチレンジアミン] (１，４−ジメチルベンゼン)ルテニウム、[（Ｓ，Ｓ）−Ｎ−（ｐ−トルエンスルホニル）−１，２−ジフェニルエチレンジアミン]（ｐ−シメン）ルテニウム、 [（Ｒ，Ｒ）−Ｎ−（ｐ−トルエンスルホニル）−１，２−ジフェニルエチレンジアミン] （ｐ−シメン）ルテニウム、 [（Ｓ，Ｓ）−Ｎ−（ｐ−トルエンスルホニル）−１，２−ジフェニルエチレンジアミン]（メシチレン）ルテニウム、 [（Ｒ，Ｒ）−Ｎ−（ｐ−トルエンスルホニル）−１，２−ジフェニルエチレンジアミン] （メシチレン）ルテニウム、[（Ｓ，Ｓ）−Ｎ−（ｐ−トルエンスルホニル）−１，２−ジフェニルエチレンジアミン]（１，２，３−トリメチルベンゼン）ルテニウム、 [（Ｒ，Ｒ）−Ｎ−（ｐ−トルエンスルホニル）−１，２−ジフェニルエチレンジアミン] （１，２，３−トリメチルベンゼン）ルテニウム、[（Ｓ，Ｓ）−Ｎ−（ｐ−トルエンスルホニル）−１，２−ジフェニルエチレンジアミン]（１，２，４−トリメチルベンゼン）ルテニウム、 [（Ｒ，Ｒ）−Ｎ−（ｐ−トルエンスルホニル）−１，２−ジフェニルエチレンジアミン] （１，２，４−トリメチルベンゼン）ルテニウム、[（Ｓ，Ｓ）−Ｎ−（ｐ−トルエンスルホニル）−１，２−ジフェニルエチレンジアミン]（１，２，４，５−テトラメチルベンゼン）ルテニウム、 [（Ｒ，Ｒ）−Ｎ−（ｐ−トルエンスルホニル）−１，２−ジフェニルエチレンジアミン] （１，２，４，５−テトラメチルベンゼン）ルテニウム、[（Ｓ，Ｓ）−Ｎ−（ｐ−トルエンスルホニル）−１，２−ジフェニルエチレンジアミン]（１，２，３，４−テトラメチルベンゼン）ルテニウム、 [（Ｒ，Ｒ）−Ｎ−（ｐ−トルエンスルホニル）−１，２−ジフェニルエチレンジアミン] （１���２，３，４−テトラメチルベンゼン）ルテニウム、[（Ｓ，Ｓ）−Ｎ−（ｐ−トルエンスルホニル）−１，２−ジフェニルエチレンジアミン]（１，２，３，５−テトラメチルベンゼン）ルテニウム、 [（Ｒ，Ｒ）−Ｎ−（ｐ−トルエンスルホニル）−１，２−ジフェニルエチレンジアミン] （１，２，３，５−テトラメチルベンゼン）ルテニウム、 [（Ｓ，Ｓ）−Ｎ−（ｐ−トルエンスルホニル）−１，２−ジフェニルエチレンジアミン]（１，２，３，４，５−ペンタメチルメチルベンゼン）ルテニウム、 [（Ｒ，Ｒ）−Ｎ−（ｐ−トルエンスルホニル）−１，２−ジフェニルエチレンジアミン] （１，２，３，４，５−ペンタメチルベンゼン）ルテニウム、 [（Ｓ，Ｓ）−Ｎ−（ｐ−トルエンスルホニル）−１，２−ジフェニルエチレンジアミン]（ヘキサメチルベンゼン）ルテニウム、 [（Ｒ，Ｒ）−Ｎ−（ｐ−トルエンスルホニル）−１，２−ジフェニルエチレンジアミン] （ヘキサメチルベンゼン）ルテニウム、
【手続補正４】
【補正対象書類名】明細書
【補正対象項目名】００３０
【補正方法】変更
【補正の内容】
【００３０】
[（Ｓ，Ｓ）−Ｎ−メタンスルホニル−１，２−ジフェニルエチレンジアミン]ベンゼンルテニウム、 [（Ｒ，Ｒ）−Ｎ−メタンスルホニル−１，２−ジフェニルエチレンジアミン]ベンゼンルテニウム、[（Ｓ，Ｓ）−Ｎ−メタンスルホニル−１，２−ジフェニルエチレンジアミン]（メチルベンゼン）ルテニウム、 [（Ｒ，Ｒ）−Ｎ−メタンスルホニル−１，２−ジフェニルエチレンジアミン]（メチルベンゼン）ルテニウム、 [（Ｓ，Ｓ）−Ｎ−メタンスルホニル−１，２−ジフェニルエチレンジアミン](１，２−ジメチルベンゼン)ルテニウム、 [（Ｒ，Ｒ）−Ｎ−メタンスルホニル−１，２−ジフェニルエチレンジアミン]（１，２−ジメチルベンゼン）ルテニウム、[（Ｓ，Ｓ）−Ｎ−メタンスルホニル−１，２−ジフェニルエチレンジアミン](１，３−ジメチルベンゼン)ルテニウム、 [（Ｒ，Ｒ）−Ｎ−メタンスルホニル−１，２−ジフェニルエチレンジアミン]（ １，３−ジメチルベンゼン)ルテニウム、[（Ｓ，Ｓ）−Ｎ−メタンスルホニル−１，２−ジフェニルエチレンジアミン](１，４−ジメチルベンゼン)ルテニウム、 [（Ｒ，Ｒ）−Ｎ−メタンスルホニル−１，２−ジフェニルエチレンジアミン] (１，４−ジメチルベンゼン)ルテニウム、 [（Ｓ，Ｓ）−Ｎ−メタンスルホニル−１，２−ジフェニルエチレンジアミン]（ｐ−シメン）ルテニウム、 [（Ｒ，Ｒ）−Ｎ−メタンスルホニル−１，２−ジフェニルエチレンジアミン] （ｐ−シメン）ルテニウム、 [（Ｓ，Ｓ）−Ｎ−メタンスルホニル−１，２−ジフェニルエチレンジアミン]（メシチレン）ルテニウム、 [（Ｒ，Ｒ）−Ｎ−メタンスルホニル−１，２−ジフェニルエチレンジアミン] （メシチレン）ルテニウム、[（Ｓ，Ｓ）−Ｎ−メタンスルホニル−１，２−ジフェニルエチレンジアミン]（１，２，３−トリメチルベンゼン）ルテニウム、 [（Ｒ，Ｒ）−Ｎ−メタンスルホニル−１，２−ジフェニルエチレンジアミン] （１，２，３−トリメチルベンゼン）ルテニウム、[（Ｓ，Ｓ）−Ｎ−（メタンスルホニル）−１，２−ジフェニルエチレンジアミン]（１，２，４−トリメチルベンゼン）ルテニウム、 [（Ｒ，Ｒ）−Ｎ−（メタンスルホニル）−１，２−ジフェニルエチレンジアミン] （１，２，４−トリメチルベンゼン）ルテニウム、[（Ｓ，Ｓ）−Ｎ−（メタンスルホニル）−１，２−ジフェニルエチレンジアミン]（１，２，４，５−テトラメチルベンゼン）ルテニウム、 [（Ｒ，Ｒ）−Ｎ−（メタンスルホニル）−１，２−ジフェニルエチレンジアミン] （１，２，４，５−テトラメチルベンゼン）ルテニウム、 [（Ｓ，Ｓ）−Ｎ−（メタンスルホニル）−１，２−ジフェニルエチレンジアミン]（１，２，３，５−テトラメチルベンゼン）ルテニウム、 [（Ｒ，Ｒ）−Ｎ−（メタンスルホニル）−１，２−ジフェニルエチレンジアミン] （１，２，３，５−テトラメチルベンゼン）ルテニウム、[（Ｓ，Ｓ）−Ｎ−（メタンスルホニル）−１，２−ジフェニルエチレンジアミン]（１，２，３，４−テトラメチルベンゼン）ルテニウム、 [（Ｒ，Ｒ）−Ｎ−（メタンスルホニル）−１，２−ジフェニルエチレンジアミン] （１，２，３，４−テトラメチルベンゼン）ルテニウム、[（Ｓ，Ｓ）−Ｎ−（メタンスルホニル）−１，２−ジフェニルエチレンジアミン]（１，２，３，４，５−ペンタメチルベンゼン）ルテニウム、 [（Ｒ，Ｒ）−Ｎ−（メタンスルホニル）−１，２−ジフェニルエチレンジアミン] （１，２，３，４，５−ペンタメチルベンゼン）ルテニウム、[（Ｓ，Ｓ）−Ｎ−メタンスルホニル−１，２−ジフェニルエチレンジアミン]（ヘキサメチルベンゼン）ルテニウム、 [（Ｒ，Ｒ）−Ｎ−メタンスルホニル−１，２−ジフェニルエチレンジアミン] （ヘキサメチルベンゼン）ルテニウム、
【手続補正５】
【補正対象書類名】明細書
【補正対象項目名】００３１
【補正方法】変更
【補正の内容】
【００３１】
[（Ｓ，Ｓ）−Ｎ−トリフルオロメタンスルホニル−１，２−ジフェニルエチレンジアミン]ベンゼンルテニウム、 [（Ｒ，Ｒ）−Ｎ−トリフルオロメタンスルホニル−１，２−ジフェニルエチレンジアミン]ベンゼンルテニウム、[（Ｓ，Ｓ）−Ｎ−トリフルオロメタンスルホニル−１，２−ジフェニルエチレンジアミン]（メチルベンゼン）ルテニウム、 [（Ｒ，Ｒ）−Ｎ−トリフルオロメタンスルホニル−１，２−ジフェニルエチレンジアミン]（メチルベンゼン）ルテニウム、 [（Ｓ，Ｓ）−Ｎ−トリフルオロメタンスルホニ）−１，２−ジフェニルエチレンジアミン](１，２−ジメチルベンゼン)ルテニウム、 [（Ｒ，Ｒ）−Ｎ−トリフルオロメタンスルホニル−１，２−ジフェニルエチレンジアミン]（１，２−ジメチルベンゼン）ルテニウム、[（Ｓ，Ｓ）−Ｎ−トリフルオロメタンスルホニル−１，２−ジフェニルエチレンジアミン](１，３−ジメチルベンゼン)ルテニウム、 [（Ｒ，Ｒ）−Ｎ−トリフルオロメタンスルホニル−１，２−ジフェニルエチレンジアミン]（ １，３−ジメチルベンゼン)ルテニウム、[（Ｓ，Ｓ）−Ｎ−トリフルオロメタンスルホニル−１，２−ジフェニルエチレンジアミン](１，４−ジメチルベンゼン)ルテニウム、 [（Ｒ，Ｒ）−Ｎ−トリフルオロメタンスルホニル−１，２−ジフェニルエチレンジアミン] (１，４−ジメチルベンゼン)ルテニウム、 [（Ｓ，Ｓ）−Ｎ−トリフルオロメタンスルホニル−１，２−ジフェニルエチレンジアミン]（ｐ−シメン）ルテニウム、 [（Ｒ，Ｒ）−Ｎ−トリフルオロメタンスルホニル−１，２−ジフェニルエチレンジアミン] （ｐ−シメン）ルテニウム、 [（Ｓ，Ｓ）−Ｎ−トリフルオロメタンスルホニル−１，２−ジフェニルエチレンジアミン]（メシチレン）ルテニウム、 [（Ｒ，Ｒ）−Ｎ−トリフルオロメタンスルホニル−１，２−ジフェニルエチレンジアミン] （メシチレン）ルテニウム、[（Ｓ，Ｓ）−Ｎ−トリフルオロメタンスルホニル−１，２−ジフェニルエチレンジアミン]（１，２，３−トリメチルベンゼン）ルテニウム、 [（Ｒ，Ｒ）−Ｎ−トリフルオロメタンスルホニル−１，２−ジフェニルエチレンジアミン] （１，２，３−トリメチルベンゼン）ルテニウム、[（Ｓ，Ｓ）−Ｎ−トリフルオロメタンスルホニル−１，２−ジフェニルエチレンジアミン]（１，２，４−トリメチルベンゼン）ルテニウム、 [（Ｒ，Ｒ）−Ｎ−トリフルオロメタンスルホニル−１，２−ジフェニルエチレンジアミン] （１，２，４−トリメチルベンゼン）ルテニウム、[（Ｓ，Ｓ）−Ｎ−トリフルオロメタンスルホニル−１，２−ジフェニルエチレンジアミン]（１，２，４，５−テトラメチルベンゼン）ルテニウム、 [（Ｒ，Ｒ）−Ｎ−トリフルオロメタンスルホニル−１，２−ジフェニルエチレンジアミン] （１，２，４，５−テトラメチルベンゼン）ルテニウム、 [（Ｓ，Ｓ）−Ｎ−トリフルオロメタンスルホニル−１，２−ジフェニルエチレンジアミン]（１，２，３，５−テトラメチルベンゼン）ルテニウム、 [（Ｒ，Ｒ）−Ｎ−トリフルオロメタンスルホニル−１，２−ジフェニルエチレンジアミン] （１，２，３，５−テトラメチルベンゼン）ルテニウム、[（Ｓ，Ｓ）−Ｎ−トリフルオロメタンスルホニル−１，２−ジフェニルエチレンジアミン]（１，２，３，４−テトラメチルベンゼン）ルテニウム、 [（Ｒ，Ｒ）−Ｎ−トリフルオロメタンスルホニル−１，２−ジフェニルエチレンジアミン] （１，２，３，４−テトラメチルベンゼン）ルテニウム、[（Ｓ，Ｓ）−Ｎ−トリフルオロメタンスルホニル−１，２−ジフェニルエチレンジアミン]（１，２，３，４，５−ペンタメチルベンゼン）ルテニウム、 [（Ｒ，Ｒ）−Ｎ−トリフルオロメタンスルホニル−１，２−ジフェニルエチレンジアミン] （１，２，３，４，５−ペンタメチルベンゼン）ルテニウム、[（Ｓ，Ｓ）−Ｎ−トリフルオロメタンスルホニル−１，２−ジフェニルエチレンジアミン]（ヘキサメチルベンゼン）ルテニウム、 [（Ｒ，Ｒ）−Ｎ−トリフルオロメタンスルホニル−１，２−ジフェニルエチレンジアミン] （ヘキサメチルベンゼン）ルテニウム、
【手続補正６】
【補正対象書類名】明細書
【補正対象項目名】００３２
【補正方法】変更
【補正の内容】
【００３２】
[（Ｓ，Ｓ）−Ｎ−（ｐ−トルエンスルホニル）−１，２−シクロヘキサンジアミン]ベンゼンルテニウム、 [（Ｒ，Ｒ）−Ｎ−（ｐ−トルエンスルホニル）−１，２−シクロヘキサンジアミン]ベンゼンルテニウム、[（Ｓ，Ｓ）−Ｎ−（ｐ−トルエンスルホニル）−１，２−シクロヘキサンジアミン]（メチルベンゼン）ルテニウム、 [（Ｒ，Ｒ）−Ｎ−（ｐ−トルエンスルホニル）−１，２−シクロヘキサンジアミン]（メチルベンゼン）ルテニウム、 [（Ｓ，Ｓ）−Ｎ−（ｐ−トルエンスルホニル）−１，２−シクロヘキサンジアミン](１，２−ジメチルベンゼン)ルテニウム、[（Ｒ，Ｒ）−Ｎ−（ｐ−トルエンスルホニル）−１，２−シクロヘキサンジアミン]（１，２−ジメチルベンゼン）ルテニウム、[（Ｓ，Ｓ）−Ｎ−（ｐ−トルエンスルホニル）−１，２−シクロヘキサンジアミン](１，３−ジメチルベンゼン)ルテニウム、 [（Ｒ，Ｒ）−Ｎ−（ｐ−トルエンスルホニル）−１，２−シクロヘキサンジアミン]（ １，３−ジメチルベンゼン)テニウム、[（Ｓ，Ｓ）−Ｎ−（ｐ−トルエンスルホニル）−１，２−シクロヘキサンジアミン](１，４−ジメチルベンゼン)ルテニウム、 [（Ｒ，Ｒ）−Ｎ−（ｐ−トルエンスルホニル）−１，２−シクロヘキサンジアミン] (１，４−ジメチルベンゼン)ルテニウム、[（Ｓ，Ｓ）−Ｎ−（ｐ−トルエンスルホニル）−１，２−シクロヘキサンジアミン]（ｐ−シメン）ルテニウム、 [（Ｒ，Ｒ）−Ｎ−（ｐ−トルエンスルホニル）−１，２−シクロヘキサンジアミン] （ｐ−シメン）ルテニウム、 [（Ｓ，Ｓ）−Ｎ−（ｐ−トルエンスルホニル）−１，２−シクロヘキサンジアミン]（メシチレン）ルテニウム、 [（Ｒ，Ｒ）−Ｎ−（ｐ−トルエンスルホニル）−１，２−シクロヘキサンジアミン] （メシチレン）ルテニウム、[（Ｓ，Ｓ）−Ｎ−（ｐ−トルエンスルホニル）−１，２−シクロヘキサンジアミン]（１，２，３−トリメチルベンゼン）ルテニウム、 [（Ｒ，Ｒ）−Ｎ−（ｐ−トルエンスルホニル）−１，２−シクロヘキサンジアミン] （１，２，３−トリメチルベンゼン）ルテニウム、[（Ｓ，Ｓ）−Ｎ−（ｐ−トルエンスルホニル）−１，２−シクロヘキサンジアミン]（１，２，４−トリメチルベンゼン）ルテニウム、 [（Ｒ，Ｒ）−Ｎ−（ｐ−トルエンスルホニル）−１，２−シクロヘキサンジアミン] （１，２，４−トリメチルベンゼン）ルテニウム、[（Ｓ，Ｓ）−Ｎ−（ｐ−トルエンスルホニル）−１，２−シクロヘキサンジアミン]（１，２，４，５−テトラメチルベンゼン）ルテニウム、 [（Ｒ，Ｒ）−Ｎ−（ｐ−トルエンスルホニル）−１，２−シクロヘキサンジアミン] （１，２，４，５−テトラメチルベンゼン）ルテニウム、[（Ｓ，Ｓ）−Ｎ−（ｐ−トルエンスルホニル）−１，２−シクロヘキサンジアミン]（１，２，３，４−テトラメチルベンゼン）ルテニウム、 [（Ｒ，Ｒ）−Ｎ−（ｐ−トルエンスルホニル）−１，２−シクロヘキサンジアミン] （１，２，３，４−テトラメチルベンゼン）ルテニウム、[（Ｓ，Ｓ）−Ｎ−（ｐ−トルエンスルホニル）−１，２−シクロヘキサンジアミン]（１，２，３，５−テトラメチルベンゼン）ルテニウム、 [（Ｒ，Ｒ）−Ｎ−（ｐ−トルエンスルホニル）−１，２−シクロヘキサンジアミン] （１，２，３，５−テトラメチルベ��ゼン）ルテニウム、 [（Ｓ，Ｓ）−Ｎ−（ｐ−トルエンスルホニル）−１，２−シクロヘキサンジアミン]（１，２，３，４，５−ペンタメチルベンゼン）ルテニウム、 [（Ｒ，Ｒ）−Ｎ−（ｐ−トルエンスルホニル）−１，２−シクロヘキサンジアミン] （１，２，３，４，５−ペンタメチルベンゼン）ルテニウム、 [（Ｓ，Ｓ）−Ｎ−（ｐ−トルエンスルホニル）−１，２−シクロヘキサンジアミン]（ヘキサメチルベンゼン）ルテニウム、 [（Ｒ，Ｒ）−Ｎ−（ｐ−トルエンスルホニル）−１，２−シクロヘキサンジアミン] （ヘキサメチルベンゼン）ルテニウム、
【手続補正７】
【補正対象書類名】明細書
【補正対象項目名】００３３
【補正方法】変更
【補正の内容】
【００３３】
[（Ｓ，Ｓ）−Ｎ−メタンスルホニル−１，２−シクロヘキサンジアミン]ベンゼンルテニウム、 [（Ｒ，Ｒ）−Ｎ−メタンスルホニル−１，２−シクロヘキサンジアミン]ベンゼンルテニウム、[（Ｓ，Ｓ）−Ｎ−メタンスルホニル−１，２−シクロヘキサンジアミン]（メチルベンゼン）ルテニウム、 [（Ｒ，Ｒ）−Ｎ−メタンスルホニル−１，２−シクロヘキサンジアミン]（メチルベンゼン）ルテニウム、 [（Ｓ，Ｓ）−Ｎ−メタンスルホニル−１，２−シクロヘキサンジアミン](１，２−ジメチルベンゼン)ルテニウム、 [（Ｒ，Ｒ）−Ｎ−メタンスルホニル−１，２−シクロヘキサンジアミン]（１，２−ジメチルベンゼン）ルテニウム、[（Ｓ，Ｓ）−Ｎ−メタンスルホニル−１，２−シクロヘキサンジアミン](１，３−ジメチルベンゼン)ルテニウム、 [（Ｒ，Ｒ）−Ｎ−メタンスルホニル−１，２−シクロヘキサンジアミン]（ １，３−ジメチルベンゼン)テニウム、[（Ｓ，Ｓ）−Ｎ−メタンスルホニル−１，２−シクロヘキサンジアミン](１，４−ジメチルベンゼン)ルテニウム、 [（Ｒ，Ｒ）−Ｎ−メタンスルホニル−１，２−シクロヘキサンジアミン] (１，４−ジメチルベンゼン)ルテニウム、 [（Ｓ，Ｓ）−Ｎ−メタンスルホニル−１，２−シクロヘキサンジアミン]（ｐ−シメン）ルテニウム、 [（Ｒ，Ｒ）−Ｎ−メタンスルホニル−１，２−シクロヘキサンジアミン] （ｐ−シメン）ルテニウム、 [（Ｓ，Ｓ）−Ｎ−メタンスルホニル−１，２−シクロヘキサンジアミン]（メシチレン）ルテニウム、 [（Ｒ，Ｒ）−Ｎ−メタンスルホニル−１，２−シクロヘキサンジアミン] （メシチレン）ルテニウム、[（Ｓ，Ｓ）−Ｎ−メタンスルホニル−１，２−シクロヘキサンジアミン]（１，２，３−トリメチルベンゼン）ルテニウム、 [（Ｒ，Ｒ）−Ｎ−メタンスルホニル−１，２−シクロヘキサンジアミン] （１，２，３−トリメチルベンゼン）ルテニウム、[（Ｓ，Ｓ）−Ｎ−メタンスルホニル−１，２−シクロヘキサンジアミン]（１，２，４−トリメチルベンゼン）ルテニウム、 [（Ｒ，Ｒ）−Ｎ−メタンスルホニル−１，２−シクロヘキサンジアミン] （１，２，４−トリメチルベンゼン）ルテニウム、[（Ｓ，Ｓ）−Ｎ−メタンスルホニル−１，２−シクロヘキサンジアミン]（１，２，４，５−テトラメチルベンゼン）ルテニウム、 [（Ｒ，Ｒ）−Ｎ−メタンスルホニル−１，２−シクロヘキサンジアミン] （１，２，４，５−テトラメチルベンゼン）ルテニウム、 [（Ｓ，Ｓ）−Ｎ−メタンスルホニル−１，２−シクロヘキサンジアミン]（１，２，３，５−テトラメチルベンゼン）ルテニウム、 [（Ｒ，Ｒ）−Ｎ−メタンスルホニル−１，２−シクロヘキサンジアミン] （１，２，３，５−テトラメチルベンゼン）ルテニウム、[（Ｓ，Ｓ）−Ｎ−メタンスルホニル−１，２−シクロヘキサンジアミン]（１，２，３，４−テトラメチルベンゼン）ルテニウム、 [（Ｒ，Ｒ）−Ｎ−メタンスルホニル−１，２−シクロヘキサンジアミン] （１，２，３，４−テトラメチルベンゼン）ルテニウム、[（Ｓ，Ｓ）−Ｎ−メタンスルホニル−１，２−シクロヘキサンジアミン]（１，２，３，４，５−ペンタメチルベンゼン）ルテニウム、 [（Ｒ，Ｒ）−Ｎ−メタンスルホニル−１，２−シクロヘキサンジアミン] （１，２，３，４，５−ペンタメ��ルベンゼン）ルテニウム、[（Ｓ，Ｓ）−Ｎ−メタンスルホニル−１，２−シクロヘキサンジアミン]（ヘキサメチルベンゼン）ルテニウム、 [（Ｒ，Ｒ）−Ｎ−メタンスルホニル−１，２−シクロヘキサンジアミン] （ヘキサメチルベンゼン）ルテニウム、
【手続補正８】
【補正対象書類名】明細書
【補正対象項目名】００３４
【補正方法】変更
【補正の内容】
【００３４】
[（Ｓ，Ｓ）−Ｎ−トリフルオロメタンスルホニル−１，２−シクロヘキサンジアミン]ベンゼンルテニウム、 [（Ｒ，Ｒ）−Ｎ−トリフルオロメタンスルホニル−１，２−シクロヘキサンジアミン]ベンゼンルテニウム、[（Ｓ，Ｓ）−Ｎ−トリフルオロメタンスルホニル−１，２−シクロヘキサンジアミン]（メチルベンゼン）ルテニウム、 [（Ｒ，Ｒ）−Ｎ−トリフルオロメタンスルホニル−１，２−シクロヘキサンジアミン]（メチルベンゼン）ルテニウム、 [（Ｓ，Ｓ）−Ｎ−トリフルオロメタンスルホニ）−１，２−シクロヘキサンジアミン](１，２−ジメチルベンゼン)ルテニウム、 [（Ｒ，Ｒ）−Ｎ−トリフルオロメタンスルホニル−１，２−シクロヘキサンジアミン]（１，２−ジメチルベンゼン）ルテニウム、[（Ｓ，Ｓ）−Ｎ−トリフルオロメタンスルホニル−１，２−シクロヘキサンジアミン](１，３−ジメチルベンゼン)ルテニウム、 [（Ｒ，Ｒ）−Ｎ−トリフルオロメタンスルホニル−１，２−シクロヘキサンジアミン]（ １，３−ジメチルベンゼン)テニウム、[（Ｓ，Ｓ）−Ｎ−トリフルオロメタンスルホニル−１，２−シクロヘキサンジアミン](１，４−ジメチルベンゼン)ルテニウム、 [（Ｒ，Ｒ）−Ｎ−トリフルオロメタンスルホニル−１，２−シクロヘキサンジアミン] (１，４−ジメチルベンゼン)ルテニウム、 [（Ｓ，Ｓ）−Ｎ−トリフルオロメタンスルホニル−１，２−シクロヘキサンジアミン]（ｐ−シメン）ルテニウム、 [（Ｒ，Ｒ）−Ｎ−トリフルオロメタンスルホニル−１，２−シクロヘキサンジアミン] （ｐ−シメン）ルテニウム、 [（Ｓ，Ｓ）−Ｎ−トリフルオロメタンスルホニル−１，２−シクロヘキサンジアミン]（メシチレン）ルテニウム、 [（Ｒ，Ｒ）−Ｎ−トリフルオロメタンスルホニル−１，２−シクロヘキサンジアミン] （メシチレン）ルテニウム、[（Ｓ，Ｓ）−Ｎ−トリフルオロメタンスルホニル−１，２−シクロヘキサンジアミン]（１，２，３−トリメチルベンゼン）ルテニウム、 [（Ｒ，Ｒ）−Ｎ−トリフルオロメタンスルホニル−１，２−シクロヘキサンジアミン] （１，２，３−トリメチルベンゼン）ルテニウム、[（Ｓ，Ｓ）−Ｎ−トリフルオロメタンスルホニル−１，２−シクロヘキサンジアミン]（１，２，４−トリメチルベンゼン）ルテニウム、 [（Ｒ，Ｒ）−Ｎ−トリフルオロメタンスルホニル−１，２−シクロヘキサンジアミン] （１，２，４−トリメチルベンゼン）ルテニウム、[（Ｓ，Ｓ）−Ｎ−トリフルオロメタンスルホニル−１，２−シクロヘキサンジアミン]（１，２，４，５−テトラメチルベンゼン）ルテニウム、 [（Ｒ，Ｒ）−Ｎ−トリフルオロメタンスルホニル−１，２−シクロヘキサンジアミン] （１，２，４，５−テトラメチルベンゼン）ルテニウム、 [（Ｓ，Ｓ）−Ｎ−トリフルオロメタンスルホニル−１，２−シクロヘキサンジアミン]（１，２，３，５−テトラメチルベンゼン）ルテニウム、 [（Ｒ，Ｒ）−Ｎ−トリフルオロメタンスルホニル−１，２−シクロヘキサンジアミン] （１，２，３，５−テトラメチルベンゼン）ルテニウム、[（Ｓ，Ｓ）−Ｎ−トリフルオロメタンスルホニル−１，２−シクロヘキサンジアミン]（１，２，３，４−テトラメチルベンゼン）ルテニウム、 [（Ｒ，Ｒ）−Ｎ−トリフルオロメタンスルホニル−１，２−シクロ���キサンジアミン] （１，２，３，４−テトラメチルベンゼン）ルテニウム、[（Ｓ，Ｓ）−Ｎ−トリフルオロメタンスルホニル−１，２−シクロヘキサンジアミン]（１，２，３，４，５−ペンタメチルベンゼン）ルテニウム、 [（Ｒ，Ｒ）−Ｎ−トリフルオロメタンスルホニル−１，２−シクロヘキサンジアミン] （１，２，３，４，５−ペンタメチルベンゼン）ルテニウム、[（Ｓ，Ｓ）−Ｎ−トリフルオロメタンスルホニル−１，２−シクロヘキサンジアミン]（ヘキサメチルベンゼン）ルテニウム、 [（Ｒ，Ｒ）−Ｎ−トリフルオロメタンスルホニル−１，２−シクロヘキサンジアミン] （ヘキサメチルベンゼン）ルテニウムなどがあげられる。
【手続補正９】
【補正対象書類名】明細書
【補正対象項目名】００３５
【補正方法】変更
【補正の内容】
【００３５】
ルテニウムヒドリド錯体の例としては、
ヒドリド[（Ｓ，Ｓ）−Ｎ−（ｐ−トルエンスルホニル）−１，２−ジフェニルエチレンジアミン]ベンゼンルテニウム、ヒドリド[（Ｒ，Ｒ）−Ｎ−（ｐ−トルエンスルホニル）−１，２−ジフェニルエチレンジアミン]ベンゼンルテニウム、ヒドリド[（Ｓ，Ｓ）−Ｎ−（ｐ−トルエンスルホニル）−１，２−ジフェニルエチレンジアミン]（メチルベンゼン）ルテニウム、ヒドリド [（Ｒ，Ｒ）−Ｎ−（ｐ−トルエンスルホニル）−１，２−ジフェニルエチレンジアミン]（メチルベンゼン）ルテニウム、 ヒドリド[（Ｓ，Ｓ）−Ｎ−（ｐ−トルエンスルホニル）−１，２−ジフェニルエチレンジアミン](１，２−ジメチルベンゼン)ルテニウム、ヒドリド [（Ｒ，Ｒ）−Ｎ−（ｐ−トルエンスルホニル）−１，２−ジフェニルエチレンジアミン]（１，２−ジメチルベンゼン）ルテニウム、ヒドリド[（Ｓ，Ｓ）−Ｎ−（ｐ−トルエンスルホニル）−１，２−ジフェニルエチレンジアミン](１，３−ジメチルベンゼン)ルテニウム、ヒドリド [（Ｒ，Ｒ）−Ｎ−（ｐ−トルエンスルホニル）−１，２−ジフェニルエチレンジアミン]（ １，３−ジメチルベンゼン)ルテニウム、ヒドリド[（Ｓ，Ｓ）−Ｎ−（ｐ−トルエンスルホニル）−１，２−ジフェニルエチレンジアミン](１，４−ジメチルベンゼン)ルテニウム、 ヒドリド[（Ｒ，Ｒ）−Ｎ−（ｐ−トルエンスルホニル）−１，２−ジフェニルエチレンジアミン] (１，４−ジメチルベンゼン)ルテニウム、ヒドリド[（Ｓ，Ｓ）−Ｎ−（ｐ−トルエンスルホニル）−１，２−ジフェニルエチレンジアミン]（ｐ−シメン）ルテニウム、ヒドリド[（Ｒ，Ｒ）−Ｎ−（ｐ−トルエンスルホニル）−１，２−ジフェニルエチレンジアミン] （ｐ−シメン）ルテニウム、ヒドリド[（Ｓ，Ｓ）−Ｎ−（ｐ−トルエンスルホニル）−１，２−ジフェニルエチレンジアミン]（メシチレン）ルテニウム、ヒドリド[（Ｒ，Ｒ）−Ｎ−（ｐ−トルエンスルホニル）−１，２−ジフェニルエチレンジアミン] （メシチレン）ルテニウム、ヒドリド[（Ｓ，Ｓ）−Ｎ−（ｐ−トルエンスルホニル）−１，２−ジフェニルエチレンジアミン]（１，２，３−トリメチルベンゼン）ルテニウム、 ヒドリド[（Ｒ，Ｒ）−Ｎ−（ｐ−トルエンスルホニル）−１，２−ジフェニルエチレンジアミン] （１，２，３−トリメチルベンゼン）ルテニウム、ヒドリド[（Ｓ，Ｓ）−Ｎ−（ｐ−トルエンスルホニル）−１，２−ジフェニルエチレンジアミン]（１，２，４−トリメチルベンゼン）ルテニウム、ヒドリド[（Ｒ，Ｒ）−Ｎ−（ｐ−トルエンスルホニル）−１，２−ジフェニルエチレンジアミン] （１，２，４−トリメチルベンゼン）ルテニウム、ヒドリド[（Ｓ，Ｓ）−Ｎ−（ｐ−トルエンスルホニル）−１，２−ジフェニルエチレンジアミン]（１，２，４，５−テトラメチルベンゼン）ルテニウム、ヒドリド[（Ｒ，Ｒ）−Ｎ−（ｐ−トルエンスルホニル）−１，２−ジフェニルエチレンジアミン] （１，２，４，５−テトラメチルベンゼン）ルテニウム、ヒドリド [（Ｓ，Ｓ）−Ｎ−（ｐ−トルエンスルホニル）−１，２−ジフェニルエチレンジアミン]（１，２，３，５−テトラメチルベンゼン）ルテニウム、 ヒドリド[（Ｒ，Ｒ）−Ｎ−（ｐ−トルエンスルホニル）−１，２−ジフェニルエチレンジアミン] （１，２，３，５−テトラメチルベンゼン）ルテニウム、ヒドリド[（Ｓ，Ｓ）−Ｎ−（ｐ−トルエンスルホニル）−１，２−ジフェニルエチレンジアミン]（１，２，３，４−テトラメチルベンゼン）ルテニウム、ヒドリド[（Ｒ，Ｒ）−Ｎ−（ｐ−トルエンスルホニル）−１，２−ジフェニルエチレンジアミン] （１，２，３，４−テトラメチルベンゼン）ルテニウム、ヒドリド[（Ｓ，Ｓ）−Ｎ−（ｐ−トルエンスルホニル）−１，２−ジフェニルエチレンジアミン]（１，２，３，４，５−ペンタメチルベンゼン）ルテニウム、ヒドリド[（Ｒ，Ｒ）−Ｎ−（ｐ−トルエンスルホニル）−１，２−ジフェニルエチレンジアミン] （１，２，３，４，５−ペンタメチルベンゼン）ルテニウム、ヒドリド[（Ｓ，Ｓ）−Ｎ−（ｐ−トルエンスルホニル）−１，２−ジフェニルエチレンジアミン]（ヘキサメチルベンゼン）ルテニウム、ヒドリド[（Ｒ，Ｒ）−Ｎ−（ｐ−トルエンスルホニル）−１，２−ジフェニルエチレンジアミン] （ヘキサメチルベンゼン）ルテニウム、
【手続補正１０】
【補正対象書類名】明細書
【補正対象項目名】００３６
【補正方法】変更
【補正の内容】
【００３６】
ヒドリド[（Ｓ，Ｓ）−Ｎ−メタンスルホニル−１，２−ジフェニルエチレンジアミン]ベンゼンルテニウム、ヒドリド[（Ｒ，Ｒ）−Ｎ−メタンスルホニル−１，２−ジフェニルエチレンジアミン]ベンゼンルテニウム、ヒドリド[（Ｓ，Ｓ）−Ｎ−メタンスルホニル−１，２−ジフェニルエチレンジアミン]（メチルベンゼン）ルテニウム、ヒドリド [（Ｒ，Ｒ）−Ｎ−メタンスルホニル−１，２−ジフェニルエチレンジアミン]（メチルベンゼン）ルテニウム、 ヒドリド[（Ｓ，Ｓ）−Ｎ−メタンスルホニル−１，２−ジフェニルエチレンジアミン](１，２−ジメチルベンゼン)ルテニウム、ヒドリド [（Ｒ，Ｒ）−Ｎ−メタンスルホニル−１，２−ジフェニルエチレンジアミン]（１，２−ジメチルベンゼン）ルテニウム、ヒドリド[（Ｓ，Ｓ）−Ｎ−メタンスルホニル−１，２−ジフェニルエチレンジアミン](１，３−ジメチルベンゼン)ルテニウム、ヒドリド [（Ｒ，Ｒ）−Ｎ−メタンスルホニル−１，２−ジフェニルエチレンジアミン]（ １，３−ジメチルベンゼン)ルテニウム、ヒドリド[（Ｓ，Ｓ）−Ｎ−メタンスルホニル−１，２−ジフェニルエチレンジアミン](１，４−ジメチルベンゼン)ルテニウム、 ヒドリド[（Ｒ，Ｒ）−Ｎ−メタンスルホニル−１，２−ジフェニルエチレンジアミン] (１，４−ジメチルベンゼン)ルテニウム、ヒドリド[（Ｓ，Ｓ）−Ｎ−メタンスルホニル−１，２−ジフェニルエチレンジアミン]（ｐ−シメン）ルテニウム、ヒドリド[（Ｒ，Ｒ）−Ｎ−メタンスルホニル−１，２−ジフェニルエチレンジアミン] （ｐ−シメン）ルテニウム、ヒドリド[（Ｓ，Ｓ）−Ｎ−メタンスルホニル−１，２−ジフェニルエチレンジアミン]（メシチレン）ルテニウム、ヒドリド[（Ｒ，Ｒ）−Ｎ−メタンスルホニル−１，２−ジフェニルエチレンジアミン] （メシチレン）ルテニウム、ヒドリド[（Ｓ，Ｓ）−Ｎ−メタンスルホニル−１，２−ジフェニルエチレンジアミン]（１，２，３−トリメチルベンゼン）ルテニウム、 ヒドリド[（Ｒ，Ｒ）−Ｎ−メタンスルホニル−１，２−ジフェニルエチレンジアミン] （１，２，３−トリメチルベンゼン）ルテニウム、ヒドリド[（Ｓ，Ｓ）−Ｎ−メタンスルホニル−１，２−ジフェニルエチレンジアミン]（１，２，４−トリメチルベンゼン）ルテニウム、ヒドリド[（Ｒ，Ｒ）−Ｎ−メタンスルホニル−１，２−ジフェニルエチレンジアミン] （１，２，４−トリメチルベンゼン）ルテニウム、ヒドリド[（Ｓ，Ｓ）−Ｎ−メタンスルホニル−１，２−ジフェニルエチレンジアミン]（１，２，４，５−テトラメチルベンゼン）ルテニウム、ヒドリド[（Ｒ，Ｒ）−Ｎ−メタンスルホニル−１，２−ジフェニルエチレンジアミン] （１，２，４，５−テトラメチルベンゼン）ルテニウム、ヒドリド [（Ｓ，Ｓ）−Ｎ−メタンスルホニル−１，２−ジフェニルエチレンジアミン]（１，２，３，５−テトラメチルベンゼン）ルテニウム、 ヒドリド[（Ｒ，Ｒ）−Ｎ−メタンスルホニル−１，２−ジフェニルエチレンジアミン] （１，２，３，５−テトラメチルベンゼン）ルテニウム、ヒドリド[（Ｓ，Ｓ）−Ｎ−メタンスルホニル−１，２−ジフェニルエチレンジアミン]（１，２，３，４−テトラメチルベンゼン）ルテニウム、ヒドリド[（Ｒ，Ｒ）−Ｎ−メタンスルホニル−１，２−ジフェニルエチレンジアミン] （１，２，３，４−テトラメチルベンゼン）ルテニウム、ヒドリド[（Ｓ，Ｓ）−Ｎ−メタンスルホニル−１，２−ジフェニルエチレンジアミン]（１，２，３，４，５−ペンタメチルベンゼン）ルテニウム、ヒドリド[（Ｒ，Ｒ）−Ｎ−メタンスルホニル−１，２−ジフェニルエチレンジアミン] （１，２，３，４，５−ペンタメチルベンゼン）ルテニウム、ヒドリド[（Ｓ，Ｓ）−Ｎ−メタンスルホニル−１，２−ジフェニルエチレンジアミン]（ヘキサメチルベンゼン）ルテニウム、ヒドリド[（Ｒ，Ｒ）−Ｎ−メタンスルホニル−１，２−ジフェニルエチレンジアミン] （ヘキサメチルベンゼン）ルテニウム、
【手続補正１１】
【補正対象書類名】明細書
【補正対象項目名】００３８
【補正方法】変更
【補正の内容】
【００３８】
ヒドリド[（Ｒ，Ｒ）−Ｎ−トリフルオロメタンスルホニル−１，２−ジフェニルエチレンジアミン] （１，２，４−トリメチルベンゼン）ルテニウム、ヒドリド[（Ｓ，Ｓ）−Ｎ−トリフルオロメタンスルホニル−１，２−ジフェニルエチレンジアミン]（１，２，４，５−テトラメチルベンゼン）ルテニウム、ヒドリド[（Ｒ，Ｒ）−Ｎ−トリフルオロメタンスルホニル−１，２−ジフェニルエチレンジアミン] （１，２，４，５−テトラメチルベンゼン）ルテニウム、ヒドリド [（Ｓ，Ｓ）−Ｎ−トリフルオロメタンスルホニル−１，２−ジフェニルエチレンジアミン]（１，２，３，５−テトラメチルベンゼン）ルテニウム、 ヒドリド[（Ｒ，Ｒ）−Ｎ−トリフルオロメタンスルホニル−１，２−ジフェニルエチレンジアミン] （１，２，３，５−テトラメチルベンゼン）ルテニウム、ヒドリド[（Ｓ，Ｓ）−Ｎ−トリフルオロメタンスルホニル−１，２−ジフェニルエチレンジアミン]（１，２，３，４−テトラメチルベンゼン）ルテニウム、ヒドリド[（Ｒ，Ｒ）−Ｎ−トリフルオロメタンスルホニル−１，２−ジフェニルエチレンジアミン] （１，２，３，４−テトラメチルベンゼン）ルテニウム、ヒドリド[（Ｓ，Ｓ）−Ｎ−トリフルオロメタンスルホニル−１，２−ジフェニルエチレンジアミン]（１，２，３，４，５−ペンタメチルベンゼン）ルテニウム、ヒドリド[（Ｒ，Ｒ）−Ｎ−トリフルオロメタンスルホニル−１，２−ジフェニルエチレンジアミン] （１，２，３，４，５−ペンタメチルベンゼン）ルテニウム、ヒドリド[（Ｓ，Ｓ）−Ｎ−トリフルオロメタンスルホニル−１，２−ジフェニルエチレンジアミン]（ヘキサメチルベンゼン）ルテニウム、ヒドリド[（Ｒ，Ｒ）−Ｎ−トリフルオロメタンスルホニル−１，２−ジフェニルエチレンジアミン] （ヘキサメチルベンゼン）ルテニウム、
【手続補正１２】
【補正対象書類名】明細書
【補正対象項目名】００３９
【補正方法】変更
【補正の内容】
【００３９】
ヒドリド[（Ｓ，Ｓ）−Ｎ−（ｐ−トルエンスルホニル）−１，２−シクロヘキサンジアミン]ベンゼンルテニウム、ヒドリド[（Ｒ，Ｒ）−Ｎ−（ｐ−トルエンスルホニル）−１，２−シクロヘキサンジアミン]ベンゼンルテニウム、ヒドリド[（Ｓ，Ｓ）−Ｎ−（ｐ−トルエンスルホニル）−１，２−シクロヘキサンジアミン]（メチルベンゼン）ルテニウム、ヒドリド [（Ｒ，Ｒ）−Ｎ−（ｐ−トルエンスルホニル）−１，２−シクロヘキサンジアミン]（メチルベンゼン）ルテニウム、 ヒドリド[（Ｓ，Ｓ）−Ｎ−（ｐ−トルエンスルホニル）−１，２−シクロヘキサンジアミン](１，２−ジメチルベンゼン)ルテニウム、ヒドリド [（Ｒ，Ｒ）−Ｎ−（ｐ−トルエンスルホニル）−１，２−シクロヘキサンジアミン]（１，２−ジメチルベンゼン）ルテニウム、ヒドリド[（Ｓ，Ｓ）−Ｎ−（ｐ−トルエンスルホニル）−１，２−シクロヘキサンジアミン](１，３−ジメチルベンゼン)ルテニウム、ヒドリド [（Ｒ，Ｒ）−Ｎ−（ｐ−トルエンスルホニル）−１，２−シクロヘキサンジアミン]（ １，３−ジメチルベンゼン)テニウム、ヒドリド[（Ｓ，Ｓ）−Ｎ−（ｐ−トルエンスルホニル）−１，２−シクロヘキサンジアミン](１，４−ジメチルベンゼン)ルテニウム、 ヒドリド[（Ｒ，Ｒ）−Ｎ−（ｐ−トルエンスルホニル）−１，２−シクロヘキサンジアミン] (１，４−ジメチルベンゼン)ルテニウム、ヒドリド[（Ｓ，Ｓ）−Ｎ−（ｐ−トルエンスルホニル）−１，２−シクロヘキサンジアミン]（ｐ−シメン）ルテニウム、ヒドリド[（Ｒ，Ｒ）−Ｎ−（ｐ−トルエンスルホニル）−１，２−シクロヘキサンジアミン] （ｐ−シメン）ルテニウム、ヒドリド[（Ｓ，Ｓ）−Ｎ−（ｐ−トルエンスルホニル）−１，２−シクロヘキサンジアミン]（メシチレン）ルテニウム、ヒドリド[（Ｒ，Ｒ）−Ｎ−（ｐ−トルエンスルホニル）−１，２−シクロヘキサンジアミン] （メシチレン）ルテニウム、ヒドリド[（Ｓ，Ｓ）−Ｎ−（ｐ−トルエンスルホニル）−１，２−シクロヘキサンジアミン]（１，２，３−トリメチルベンゼン）ルテニウム、 ヒドリド[（Ｒ，Ｒ）−Ｎ−（ｐ−トルエンスルホニル）−１，２−シクロヘキサンジアミン] （１，２，３−トリメチルベンゼン）ルテニウム、ヒドリド[（Ｓ，Ｓ）−Ｎ−（ｐ−トルエンスルホニル）−１，２−シクロヘキサンジアミン]（１，２，４−トリメチルベンゼン）ルテニウム、ヒドリド[（Ｒ，Ｒ）−Ｎ−（ｐ−トルエンスルホニル）−１，２−シクロヘキサンジアミン] （１，２，４−トリメチルベンゼン）ルテニウム、ヒドリド[（Ｓ，Ｓ）−Ｎ−（ｐ−トルエンスルホニル）−１，２−シクロヘキサンジアミン]（１，２，４，５−テトラメチルベンゼン）ルテニウム、ヒドリド[（Ｒ，Ｒ）−Ｎ−（ｐ−トルエンスルホニル）−１，２−シクロヘキサンジアミン] （１，２，４，５−テトラメチルベンゼン）ルテニウム、ヒドリド [（Ｓ，Ｓ）−Ｎ−（ｐ−トルエンスルホニル）−１，２−シクロヘキサンジアミン]（１，２，３，５−テトラメチルベンゼン）ルテニウム、 ヒドリド[（Ｒ，Ｒ）−Ｎ−（ｐ−トルエンスルホニル）−１，２−シクロヘキサンジアミン] （１，２，３，５−テトラメチルベンゼン）ルテニウム、ヒドリド[（Ｓ，Ｓ）−Ｎ−（ｐ−トルエンスルホニル）−１，２−シ��ロヘキサンジアミン]（１，２，３，４−テトラメチルベンゼン）ルテニウム、ヒドリド[（Ｒ，Ｒ）−Ｎ−（ｐ−トルエンスルホニル）−１，２−シクロヘキサンジアミン] （１，２，３，４−テトラメチルベンゼン）ルテニウム、ヒドリド[（Ｓ，Ｓ）−Ｎ−（ｐ−トルエンスルホニル）−１，２−シクロヘキサンジアミン]（１，２，３，４，５−ペンタメチルベンゼン）ルテニウム、ヒドリド[（Ｒ，Ｒ）−Ｎ−（ｐ−トルエンスルホニル）−１，２−シクロヘキサンジアミン] （１，２，３，４，５−ペンタメチルベンゼン）ルテニウム、ヒドリド[（Ｓ，Ｓ）−Ｎ−（ｐ−トルエンスルホニル）−１，２−シクロヘキサンジアミン]（ヘキサメチルベンゼン）ルテニウム、ヒドリド[（Ｒ，Ｒ）−Ｎ−（ｐ−トルエンスルホニル）−１，２−シクロヘキサンジアミン] （ヘキサメチルベンゼン）ルテニウム、
【手続補正１３】
【補正対象書類名】明細書
【補正対象項目名】００４０
【補正方法】変更
【補正の内容】
【００４０】
ヒドリド[（Ｓ，Ｓ）−Ｎ−メタンスルホニル−１，２−シクロヘキサンジアミン]ベンゼンルテニウム、ヒドリド[（Ｒ，Ｒ）−Ｎ−メタンスルホニル−１，２−シクロヘキサンジアミン]ベンゼンルテニウム、ヒドリド[（Ｓ，Ｓ）−Ｎ−メタンスルホニル−１，２−シクロヘキサンジアミン]（メチルベンゼン）ルテニウム、ヒドリド [（Ｒ，Ｒ）−Ｎ−メタンスルホニル−１，２−シクロヘキサンジアミン]（メチルベンゼン）ルテニウム、 ヒドリド[（Ｓ，Ｓ）−Ｎ−メタンスルホニル−１，２−シクロヘキサンジアミン](１，２−ジメチルベンゼン)ルテニウム、ヒドリド [（Ｒ，Ｒ）−Ｎ−メタンスルホニル−１，２−シクロヘキサンジアミン]（１，２−ジメチルベンゼン）ルテニウム、ヒドリド[（Ｓ，Ｓ）−Ｎ−メタンスルホニル−１，２−シクロヘキサンジアミン](１，３−ジメチルベンゼン)ルテニウム、ヒドリド [（Ｒ，Ｒ）−Ｎ−メタンスルホニル−１，２−シクロヘキサンジアミン]（ １，３−ジメチルベンゼン)ルテニウム、ヒドリド[（Ｓ，Ｓ）−Ｎ−メタンスルホニル−１，２−シクロヘキサンジアミン](１，４−ジメチルベンゼン)ルテニウム、 ヒドリド[（Ｒ，Ｒ）−Ｎ−メタンスルホニル−１，２−シクロヘキサンジアミン] (１，４−ジメチルベンゼン)ルテニウム、ヒドリド[（Ｓ，Ｓ）−Ｎ−メタンスルホニル−１，２−シクロヘキサンジアミン]（ｐ−シメン）ルテニウム、ヒドリド[（Ｒ，Ｒ）−Ｎ−メタンスルホニル−１，２−シクロヘキサンジアミン] （ｐ−シメン）ルテニウム、ヒドリド[（Ｓ，Ｓ）−Ｎ−メタンスルホニル−１，２−シクロヘキサンジアミン]（メシチレン）ルテニウム、ヒドリド[（Ｒ，Ｒ）−Ｎ−メタンスルホニル−１，２−シクロヘキサンジアミン] （メシチレン）ルテニウム、ヒドリド[（Ｓ，Ｓ）−Ｎ−メタンスルホニル−１，２−シクロヘキサンジアミン]（１，２，３−トリメチルベンゼン）ルテニウム、 ヒドリド[（Ｒ，Ｒ）−Ｎ−メタンスルホニル−１，２−シクロヘキサンジアミン] （１，２，３−トリメチルベンゼン）ルテニウム、ヒドリド[（Ｓ，Ｓ）−Ｎ−メタンスルホニル−１，２−シクロヘキサンジアミン]（１，２，４−トリメチルベンゼン）ルテニウム、ヒドリド[（Ｒ，Ｒ）−Ｎ−メタンスルホニル−１，２−シクロヘキサンジアミン] （１，２，４−トリメチルベンゼン）ルテニウム、ヒドリド[（Ｓ，Ｓ）−Ｎ−メタンスルホニル−１，２−シクロヘキサンジアミン]（１，２，４，５−テトラメチルベンゼン）ルテニウム、ヒドリド[（Ｒ，Ｒ）−Ｎ−メタンスルホニル−１，２−シクロヘキサンジアミン] （１，２，４，５−テトラメチルベンゼン）ルテニウム、ヒドリド [（Ｓ，Ｓ）−Ｎ−メタンスルホニル−１，２−シクロヘキサンジアミン]（１，２，３，５−テトラメチルベンゼン）ルテニウム、 ヒドリド[（Ｒ，Ｒ）−Ｎ−メタンスルホニル−１，２−シクロヘキサンジアミン] （１，２，３，５−テトラメチルベンゼン）ルテニウム、ヒドリド[（Ｓ，Ｓ）−Ｎ−メタンスルホニル−１，２−シクロヘキサンジアミン]（１，２，３，４−テトラメチルベンゼン）ルテニウム、ヒドリド[（Ｒ，Ｒ）−Ｎ−メタンスルホニル−１，２−シクロヘキサンジアミン] （１，２，３，４−テトラメチルベンゼン）ルテニウム、ヒドリド[（Ｓ，Ｓ）−Ｎ−メタンスルホニル−１，２−シクロヘキサンジアミン]（１，２，３，４，５−ペンタメチルベンゼン）ルテニウム、ヒドリド[（Ｒ，Ｒ）−Ｎ−メタンスルホニル−１，２−シクロヘキサンジアミン] （１，２，３，４，５−ペンタメチルベンゼン）ルテニウム、ヒドリド[（Ｓ，Ｓ）−Ｎ−メタンスルホニル−１，２−シクロヘキサンジアミン]（ヘキサメチルベンゼン）ルテニウム、ヒドリド[（Ｒ，Ｒ）−Ｎ−メタンスルホニル−１，２−シクロヘキサンジアミン] （ヘキサメチルベンゼン）ルテニウム、
【手続補正１４】
【補正対象書類名】明細書
【補正対象項目名】００４１
【補正方法】変更
【補正の内容】
【００４１】
ヒドリド[（Ｓ，Ｓ）−Ｎ−トリフルオロメタンスルホニル−１，２−シクロヘキサンジアミン]ベンゼンルテニウム、ヒドリド[（Ｒ，Ｒ）−Ｎ−トリフルオロメタンスルホニル−１，２−シクロヘキサンジアミン]ベンゼンルテニウム、ヒドリド[（Ｓ，Ｓ）−Ｎ−トリフルオロメタンスルホニル−１，２−シクロヘキサンジアミン]（メチルベンゼン）ルテニウム、ヒドリド [（Ｒ，Ｒ）−Ｎ−トリフルオロメタンスルホニル−１，２−シクロヘキサンジアミン]（メチルベンゼン）ルテニウム、 ヒドリド[（Ｓ，Ｓ）−Ｎ−トリフルオロメタンスルホニル−１，２−シクロヘキサンジアミン](１，２−ジメチルベンゼン)ルテニウム、ヒドリド [（Ｒ，Ｒ）−Ｎ−トリフルオロメタンスルホニル−１，２−シクロヘキサンジアミン]（１，２−ジメチルベンゼン）ルテニウム、ヒドリド[（Ｓ，Ｓ）−Ｎ−トリフルオロメタンスルホニル−１，２−シクロヘキサンジアミン](１，３−ジメチルベンゼン)ルテニウム、ヒドリド [（Ｒ，Ｒ）−Ｎ−トリフルオロメタンスルホニル−１，２−シクロヘキサンジアミン]（ １，３−ジメチルベンゼン)ルテニウム、ヒドリド[（Ｓ，Ｓ）−Ｎ−トリフルオロメタンスルホニル−１，２−シクロヘキサンジアミン](１，４−ジメチルベンゼン)ルテニウム、 ヒドリド[（Ｒ，Ｒ）−Ｎ−トリフルオロメタンスルホニル−１，２−シクロヘキサンジアミン] (１，４−ジメチルベンゼン)ルテニウム、ヒドリド[（Ｓ，Ｓ）−Ｎ−トリフルオロメタンスルホニル−１，２−シクロヘキサンジアミン]（ｐ−シメン）ルテニウム、ヒドリド[（Ｒ，Ｒ）−Ｎ−トリフルオロメタンスルホニル−１，２−シクロヘキサンジアミン] （ｐ−シメン）ルテニウム、ヒドリド[（Ｓ，Ｓ）−Ｎ−トリフルオロメタンスルホニル−１，２−シクロヘキサンジアミン]（メシチレン）ルテニウム、ヒドリド[（Ｒ，Ｒ）−Ｎ−トリフルオロメタンスルホニル−１，２−シクロヘキサンジアミン] （メシチレン）ルテニウム、ヒドリド[（Ｓ，Ｓ）−Ｎ−トリフルオロメタンスルホニル−１，２−シクロヘキサンジアミン]（１，２，３−トリメチルベンゼン）ルテニウム、 ヒドリド[（Ｒ，Ｒ）−Ｎ−トリフルオロメタンスルホニル−１，２−シクロヘキサンジアミン] （１，２，３−トリメチルベンゼン）ルテニウム、ヒドリド[（Ｓ，Ｓ）−Ｎ−トリフルオロメタンスルホニル−１，２−シクロヘキサンジアミン]（１，２，４−トリメチルベンゼン）ルテニウム、ヒドリド[（Ｒ，Ｒ）−Ｎ−トリフルオロメタンスルホニル−１，２−シクロヘキサンジアミン] （１，２，４−トリメチルベンゼン）ルテニウム、ヒドリド[（Ｓ，Ｓ）−Ｎ−トリフルオロメタンスルホニル−１，２−シクロヘキサンジアミン]（１，２，４，５−テトラメチルベンゼン）ルテニウム、ヒドリド[（Ｒ，Ｒ）−Ｎ−トリフルオロメタンスルホニル−１，２−シクロヘキサンジアミン] （１，２，４，５−テトラメチルベンゼン）ルテニウム、ヒドリド [（Ｓ，Ｓ）−Ｎ−トリフルオロメタンスルホニル−１，２−シクロヘキサンジアミン]（１，２，３，５−テトラメチルベンゼン）ルテニウム、 ヒドリド[（Ｒ，Ｒ）−Ｎ−トリフルオロメタンスルホニル−１，２−シクロヘキサンジアミン] （１，２，３，５−テトラメチルベンゼン）ルテニウム、ヒドリド[（Ｓ，Ｓ��−Ｎ−トリフルオロメタンスルホニル−１，２−シクロヘキサンジアミン]（１，２，３，４−テトラメチルベンゼン）ルテニウム、ヒドリド[（Ｒ，Ｒ）−Ｎ−トリフルオロメタンスルホニル−１，２−シクロヘキサンジアミン] （１，２，３，４−テトラメチルベンゼン）ルテニウム、ヒドリド[（Ｓ，Ｓ）−Ｎ−トリフルオロメタンスルホニル−１，２−シクロヘキサンジアミン]（１，２，３，４，５−ペンタメチルベンゼン）ルテニウム、ヒドリド[（Ｒ，Ｒ）−Ｎ−トリフルオロメタンスルホニル−１，２−シクロヘキサンジアミン] （１，２，３，４，５−ペンタメチルベンゼン）ルテニウム、ヒドリド[（Ｓ，Ｓ）−Ｎ−トリフルオロメタンスルホニル−１，２−シクロヘキサンジアミン]（ヘキサメチルベンゼン）ルテニウム、ヒドリド[（Ｒ，Ｒ）−Ｎ−トリフルオロメタンスルホニル−１，２−シクロヘキサンジアミン] （ヘキサメチルベンゼン）ルテニウムなどがあげられる。
【手続補正１５】
【補正対象書類名】明細書
【補正対象項目名】００５８
【補正方法】変更
【補正の内容】
【００５８】
（実施例１３）（Ｒ）−３−[ビス（メトキシカルボニル）メチル]シクロペンタノンの製造
アルゴン雰囲気下、Ru[(S,S)-Msdpen](hexamethylbenzene) 11.0 mg(0.02 mmol、S/C = 100)、２−シクロペンテノン 168 μl(2.0 mmol)、マロン酸ジメチル228 μl(2.0 mmol)、２−メチル−２−プロパノール 1 mlを20mlシュレンクに入れ、30℃にて72時間攪拌した。この溶液をフラッシュカラムクロマトグラフィー（ヘキサン/アセトン＝90/10、SiO2）によって精製し、目的物を425 mg（収率99 ％）得た。旋光度は[α]D21 +96.3 (c 0.54, CHCl3)であった。ＨＰＬＣ（ダイセル社製 CHIRALPAK AS、ヘキサン：２−プロパノール＝80：20、流速1.0 ml/min、210 nmで検出）により光学純度を測定した結果、98 ％eeであった。
【手続補正１６】
【補正対象書類名】明細書
【補正対象項目名】００５９
【補正方法】変更
【補正の内容】
【００５９】
（実施例１４）（Ｒ）−３−[ビス（メトキシカルボニル）メチル]シクロヘキサノンの製造
アルゴン雰囲気下、Ru[(S,S)-Msdpen](hexamethylbenzene) 11.0 mg(0.02 mmol、S/C = 100)、２−シクロヘキセノン 194 μl(2.0 mmol)、マロン酸ジメチル228 μl(2.0 mmol)、２−メチル−２−プロパノール 1 mlを20mlシュレンクに入れ、30℃にて72時間攪拌した。この溶液をフラッシュカラムクロマトグラフィー（ヘキサン/アセトン＝90/10、SiO2）によって精製し、目的物を443 mg（収率97 ％）得た。旋光度は[α]D23 +3.45 (c 2.44, CHCl3)であった。ＨＰＬＣ（ダイセル社製 CHIRALPAK AS、ヘキサン：２−プロパノール＝85：15、流速0.5 ml/min、210 nmで検出）により光学純度を測定した結果、98 ％eeであった。
【手続補正１７】
【補正対象書類名】明細書
【補正対象項目名】００６０
【補正方法】変更
【補正の内容】
【００６０】
（実施例１５）（Ｒ）−３−[ビス（メトキシカルボニル）メチル]シクロヘプタノンの製造
アルゴン雰囲気下、Ru[(S,S)-Msdpen](hexamethylbenzene) 11.0 mg(0.02 mmol、S/C = 100)、２−シクロヘプテノン 111 μl(1.0 mmol)、マロン酸ジメチル114 μl(1.0 mmol)、２−メチル−２−プロパノール 1 mlを20mlシュレンクに入れ、30℃にて72時間攪拌した。この溶液をフラッシュカラムクロマトグラフィー（ヘキサン/アセトン＝90/10、SiO2）によって精製し、目的物を181 mg（収率75 ％）得た。旋光度は[α]D27 +45.2 (c 1.76, CHCl3)であった。これと (2R, 3R)-ブタンジオールを触媒量のｐ−トルエンスルホン酸存在下反応させることでケタール誘導体に変換した。この誘導体の13C NMRスペクトルを測定し、２つのジアステレオマーの積分比より光学純度を求めた結果、>99 %eeであった。
【手続補正１８】
【補正対象書類名】明細書
【補正対象項目名】００６１
【補正方法】変更
【補正の内容】
【００６１】
（実施例１６）３−[１，１−ビス（メトキシカルボニル）エチル]シクロペンタノンの製造
アルゴン雰囲気下、Ru[(S,S)-Msdpen](hexamethylbenzene) 11.0 mg(0.02 mmol、S/C = 50)、２−シクロペンテノン 84 μl(1.0 mmol)、ジメチルメチルマロネート133 μl(1.0 mmol)、トルエン 1 mlを20mlシュレンクに入れ、30℃にて48時間攪拌した。この溶液をフラッシュカラムクロマトグラフィー（ヘキサン/アセトン＝90/10、SiO2）によって精製し、目的物を116 mg（収率51 ％）得た。旋光度は  [α]D25 +87.2(c 1.00, CHCl3)であった。ＨＰＬＣ（ダイセル社製 CHIRALPAK AS、ヘキサン：２−プロパノール＝80：20、流速1.5 ml/min、210 nmで検出）により光学純度を測定した結果、97 ％eeであった。
【手続補正１９】
【補正対象書類名】明細書
【補正対象項目名】００６２
【補正方法】変更
【補正の内容】
【００６２】
（実施例１７）３−[ビス（メトキシカルボニル）メチル]−４，４−ジメチルシクロペンタノンの製造
アルゴン雰囲気下、Ru[(S,S)-Msdpen](hexamethylbenzene) 11.0 mg(0.02 mmol、S/C = 50)、４，４−ジメチル−２−シクロペンテノン 122 μl(1.0 mmol)、マロン酸ジメチル114 μl(1.0 mmol)、２−メチル−２−プロパノール 1 mlを20mlシュレンクに入れ、30℃にて72時間攪拌した。この溶液をフラッシュカラムクロマトグラフィー（ヘキサン/アセトン＝90/10、SiO2）によって精製し、目的物を202 mg（収率83 ％）得た。旋光度は[α]D25 +101.6 (c 1.04, CHCl3)であった。これを実施例３と同じ操作によりエチレンケタール誘導体に変換した後、ＨＰＬＣ（ダイセル社製 CHIRALCEL OD、ヘキサン：２−プロパノール＝97：3、流速0.5 ml/min、210 nmで検出）により光学純度を測定した結果、99 ％eeであった。
【手続補正２０】
【補正対象書類名】明細書
【補正対象項目名】００６３
【補正方法】変更
【補正の内容】
【００６３】
（実施例１８）３−[（アセチル）（メトキシカルボニル）メチル]シクロペンタノンの製造
アルゴン雰囲気下、Ru[(S,S)-Tsdpen](hexamethylbenzene) 12.6 mg(0.02 mmol、S/C = 50)、２−シクロペンテノン 84 μl(1.0 mmol)、アセト酢酸メチル108 μl(1.0 mmol)、脱水トルエン 1 mlを20mlシュレンクに入れ、40℃にて24時間攪拌した。この溶液をフラッシュカラムクロマトグラフィー（ヘキサン/アセトン＝90/10、SiO2）によって精製し、目的物を196 mg（収率99 ％）得た。旋光度は[α]D25 +83.5 (c 1.35, CHCl3)１ＨＮＭＲおよびＨＰＬＣ（ダイセル社製 CHIRALCEL OD、ヘキサン：２−プロパノール＝80：20、流速1.0 ml/min、210 nmで検出）によりジアステレオマー過剰率、およびエナンチオマー過剰率を求めた結果、得られた生成物は１：１のジアステレオマー混合物であり、それぞれのジアステレオマーは91 ％eeであった。